(57)【要約】      （修正有）【課題】従来とは異なる観点からの組合せを可能とする装飾用パッチを含むシートを提供する。【解決手段】装飾用パッチ包含シート１０は、少なくとも１つの人形の身体の絵柄及び人形の身体を覆うための複数の衣類の絵柄が印刷された表面を有する布地と、布地の裏面に形成されこれを覆う感熱性の接着剤層と、接着剤層に付着された剥離紙又は剥離フィルムと、各絵柄の輪郭に沿って伸びかつ布地及び接着剤層を貫く切れ目１６とを含む。切れ目は、布地及び接着剤層に各絵柄を有する装飾用パッチ１８、２２、２４、２６、２８を画定する。【選択図】図１
0003204811.tif 000002
【実用新案登録請求の範囲】
【請求項１】
少なくとも１つの人形の身体の絵柄及び前記人形の身体を覆うための複数の衣類の絵柄が印刷された表面を有する布地と、
前記布地の裏面に形成され該裏面を覆う感熱性の接着剤層と、
前記接着剤層に付着された剥離紙又は剥離フィルムと、
各絵柄の輪郭に沿って伸びかつ前記布地及び前記接着剤層を貫く切れ目であって前記布地及び前記接着剤層に各絵柄を有する装飾用パッチを画定する切れ目とを含む、装飾用パッチ包含シート。
【請求項２】
前記人形の絵柄は下着姿の少女を模ってなる、請求項１に記載の装飾用パッチ包含シート。
【請求項３】
前記布地の表面に、さらに、前記人形のための少なくとも１つの身の回り品の絵柄が印刷されている、請求項１又は２に記載の装飾用パッチ包含シート。
【請求項４】
前記布地の表面に、さらに、前記人形のための少なくとも１つの装身具の絵柄が印刷されている、請求項１〜３のいずれか１項に記載の装飾用パッチ包含シート。
【請求項５】
前記布地の表面に、さらに、前記人形のための少なくとも１つの装飾用小物の絵柄が印刷されている、請求項１〜４のいずれか１項に記載の装飾用パッチ包含シート。
【考案の詳細な説明】
【技術分野】
【０００１】
本考案は、繊維製品の装飾に用いられる複数の装飾用パッチを含むシートに関する。
【背景技術】
【０００２】
従来、衣類や身の回り品等の繊維製品の装飾のためにこれに貼り付けられる複数の装飾用パッチを含むシートが提案されている（後記特許文献１参照）。
【０００３】
この提案に係るシートは、複数の絵柄が印刷された表面と感熱性の接着剤層が形成された裏面とを有する布地と、該布地に形成され各絵柄の輪郭に沿って不連続に伸びる切れ目とを備え、各切れ目は、前記布地上に、各絵柄を有する装飾用パッチを画定する。これによれば、ユーザーが前記シートから切れ目に沿って切り離した複数の装飾用パッチを組み合せて繊維製品上に置き、これらに熱を加えることにより前記繊維製品に熱溶着することができる。
【０００４】
ところで、前記従来のシートにあっては、複数の絵柄が既存の物（動植物、自動車等）の構成要素（例えば草花の花被、葉、茎等）を模ってなり、前記複数の絵柄をそれぞれ有する複数の装飾用パッチは、前記既存の物の形態を再現すべくこれに似せて画一的に組み合わされる。
【先行技術文献】
【特許文献】
【０００５】
【特許文献１】特開２００２−８８５４９号公報
【考案の概要】
【考案が解決しようとする課題】
【０００６】
本考案は、従来の装飾用パッチを含むシートの実情に鑑み、従来とは異なる観点からの組合せを可能とする装飾用パッチを含むシートを提供することにある。
【課題を解決するための手段】
【０００７】
本考案は装飾用パッチ包含シートに係り、該装飾用パッチ包含シートは、少なくとも１つの人形の身体の絵柄及び前記人形の身体を覆うための複数の衣類の絵柄が印刷された表面を有する布地と、前記布地の裏面に形成され該裏面を覆う感熱性の接着剤層と、前記接着剤層に付着された剥離紙又は剥離フィルムと、各絵柄の輪郭に沿って伸びかつ前記布地及び前記接着剤層を貫く切れ目であって前記布地及び前記接着剤層に各絵柄を有する装飾用パッチを画定する切れ目とを含む。
【０００８】
本考案によれば、前記シートは人形の身体の絵柄を有する装飾用パッチ（人形のパッチ）と、前記人形に着せる複数の衣類の絵柄をそれぞれ有する複数の装飾用パッチ（衣類のパッチ）とを含むことから、前記人形が纏うべき衣類として、ユーザーが有する独自の創作力に基づいて、複数種の衣類の絵柄の中からその一部を任意に選択し、人形のパッチに突き合わせあるいは部分的に重ね合わせることにより組み合わせることができる。前記人形のパッチ及び各衣類のパッチは繊維製品上に順次に貼り付けることができる。貼り付けは、各パッチにその絵柄の上から例えばアイロンを当てて加熱することにより行う。各パッチは、加熱によって熱溶融する前記接着剤層を介して、前記繊維製品上に直接的に又は間接的に接着される。
【０００９】
前記人形の絵柄は例えば下着姿の少女を模ってなるものとすることができる。また、前記布地の表面に印刷される絵柄は、前記衣類の絵柄に加えて、さらに、前記人形のための少なくとも１つの身の回り品の絵柄、前記人形のための少なくとも１つの装身具の絵柄、及び／又は、前記人形のための少なくとも１つの装飾用小物の絵柄を含むものとすることができる。これによれば、前記衣類を纏った人形に、ユーザーの独創性を反映したより多彩な装いを施すことができる。
【図面の簡単な説明】
【００１０】
【図１】装飾用パッチ包含シートの一例の上半分を示す平面図である。
【図２】装飾用パッチ包含シートの一例の下半分を示す平面図である。
【図３】図１の線３−３に沿って得た断面図である。
【図４】図１及び図２に示す装飾用パッチ包含シート上の２体の人形のうちの一方に係るパッチと、複数の衣類に係るパッチの一部との組み合わせの一例を示す平面図である。
【図５】図１及び図２に示す装飾用パッチ包含シート上の２体の人形のうちの他の一方に係るパッチと、複数の衣類に係るパッチの一部との組み合わせの一例を示す平面図である。
【考案を実施するための形態】
【００１１】
図１及び図２を参照すると、本考案の一例に係る装飾用パッチ包含シート（以下、単に「シート」という。）が全体に符号１０で示されている。図示のシート１０は細長い矩形の平面形状を有し、図１及び図２はそれぞれシート１０の上半分１０Ａと下半分１０Ｂとを示す。
【００１２】
図３に示すように、シート１０は布地１２を含む。布地１２は表面１２ａと裏面１２ｂとを有する。布地１２の表面１２ａには後に詳述する複数の絵柄が印刷され、また、布地１２の裏面１２ｂにはこれを覆う感熱性の接着剤層３０が形成されている。図示の接着剤層３０はフィルム状を呈し、布地１２の裏面１２ｂに接着されている。
【００１３】
布地１２には、その裏面１２ｂの接着剤層３０に接しこれを覆う、粘着性物質を保護するフィルムである剥離フィルム１４が付着されている。また、布地１２には、その表面１２ａに印刷された前記複数の絵柄の輪郭のそれぞれに沿って伸びる複数の切れ目１６が設けられている。
【００１４】
図３に示すように、複数の切れ目１６はそれぞれ布地１２及び接着剤層３０の双方を貫いており、布地１２及び接着剤層３０に、前記複数の絵柄をそれぞれ有する複数の装飾用パッチ１８、２０、２２〜２８をそれぞれ画定する。これらの複数の装飾用パッチ１８、２０、２２〜２８は接着剤層３０を介してそれぞれ剥離フィルム１４に対して付着した状態におかれていることから、これらの装飾用パッチをそれぞれ剥離フィルム１４から引き剥がすことができ、また引き剥がしにより使用に供することができる。剥離フィルム１４はポリエステル、ポリプロピレン、ポリエチレン等のプラスチックで形成されたフィルムからなる。剥離フィルム１４に代えて剥離紙とすることができる。
【００１５】
布地１２の表面１２ａに印刷された前記複数の絵柄は、２つ（２体）の人形の身体の絵柄及び各人形のための複数の衣類の絵柄とを含む。図示の例にあっては、さらに、これらの絵柄に加えられた複数の身の回り品の絵柄、複数の装身具の絵柄、及び複数の装飾用小物の絵柄を含む。前記身の回り品の絵柄、前記装身具の絵柄の及び前記装飾用小物の絵柄は、これらの絵柄の全部を加える図示の例に代えて、これらの絵柄のうちの１つ又は２つを加えることができる。また、前記身の回り品の絵柄の数、前記装身具の絵柄の数及び前記装飾用小物の絵柄の数は、それぞれ、少なくとも１つ又は１組とすることができる。
【００１６】
前記人形の身体の絵柄における前記２つの人形はそれぞれ下着姿の少女を模ってなり、好ましくは互いに異なる表情及び姿態を有する。また、前記衣類は衣服、ソックス、手袋等からなり、前記身の回り品はハンドバッグ、靴等からなり、前記装身具は髪飾り、耳飾り、腕飾り等のアクセサリーからなり、また、前記装飾用小物の絵柄は眼帯、仮装用具等からなる。
【００１７】
装飾用パッチ１８及び２０、２２、２４，２６並びに２８は、それぞれ、前記２つの人形の身体の絵柄、前記衣類の絵柄、前記身の回り品の絵柄、前記装身具の絵柄及び前記装飾用小物の絵柄を有する。以下、説明の便宜上、これらの装飾用パッチを、それぞれ、人形のパッチ１８、２０、衣類のパッチ２２、身の回り品のパッチ２４、装身具のパッチ２６及び装飾用小物のパッチ２８と称する。
【００１８】
シート１０の使用に当たり、ユーザーが構想する前記絵柄の組み合わせを得るために、両人形のパッチ１８、２０の例えば一方と、必要な複数の衣類のパッチ２２とを剥離フィルム１４から引き剥がす。さらに、同様にして、身の回り品のパッチ２４、装身具のパッチ２６及び装飾用小物のパッチ２８の中から１又は複数のパッチを選択し、剥離フィルム１４から引き剥がす。
【００１９】
次に、人形のパッチ１８又は２０を前記繊維製品上の任意の位置に置き、その絵柄の上からアイロンで加熱及び加圧する。これにより、前記繊維製品に接した状態にある人形のパッチ１８又は２０の感熱性の接着剤層３０に熱溶融を生じさせ、人形のパッチ１８又は２０を前記繊維製品上に接着する。その後、衣類のパッチ２２を人形のパッチ１８又は２０上に重ね合わせ、人形のパッチ１８又は２０及び前記繊維製品の一方又は双方上に、前記したと同様にして、接着する。さらに、必要に応じて、身の回り品のパッチ２４、装身具のパッチ２６及び装飾用小物のパッチ２８のうちの全部又は一部を、既に接着された人形のパッチ１８又は２０上あるいは衣類のパッチ２２上に重ね又は突き合せ、前記したと同様にして、これらのパッチ１８又は２０、２２上及び前記繊維製品の一方又は双方上に接着する。これにより、図３又は図４に示すような前記繊維製品に付された装飾態様を得ることができる。
【００２０】
人形のパッチ１８、２０は、図示の例に代えて、例えば下着姿の少年の人形のパッチとすることができる。
【符号の説明】
【００２１】
１０  装飾用パッチ包含シート
１２  布地
１２ａ、１２ｂ  布地の表面及び裏面
１４  剥離フィルム
１６  切れ目
１８、２０  人形のパッチ
２２  衣類のパッチ
２４  身の回り品のパッチ
２６  装身具のパッチ
２８  装飾用小物のパッチ
３０  感熱性の接着剤層
【図１】
0003204811.tif 000003
【図２】
0003204811.tif 000004
【図３】
0003204811.tif 000005
【図４】
0003204811.tif 000006
【図５】
0003204811.tif 000007